(57)【要約】【課題】  テレビジョン受像機とＤＶＤ装置とでズーム設定の共通化を図ることにより、操作性を向上する。【解決手段】  ズーム機能を有するテレビ側のマイコン１１とズーム機能を有するＤＶＤ側のマイコン２１とが双方向通信可能に接続されたＤＶＤ装置一体型テレビジョン受像機であって、共通するズームモードについてはテレビ側のズームモードを優先的に使用してズーム機能を共通化するとともに、ＤＶＤ側からテレビ側への切り替え時、テレビ側マイコン１１はＤＶＤ側マイコン２１からＤＶＤ側のズームモード情報を取得し、取得したズームモード情報が共通化されたズームモードである場合にはそのズームモード情報を反映させてテレビ側のズーム設定を行う一方、取得したズームモード情報が共通化されていないＤＶＤ固有のモードである場合には、無効として扱う。【選択図】  図１
2005065107.tif 000002
【特許請求の範囲】
【請求項１】
ズーム機能を有するテレビ側のマイコンとズーム機能を有するＤＶＤ側のマイコンとが双方向通信可能に接続されたＤＶＤ装置一体型テレビジョン受像機において、
共通するズームモードについてはテレビ側のズームモードを優先的に使用してズーム機能を共通化するとともに、ＤＶＤ側からテレビ側への切り替え時、前記テレビ側マイコンは前記ＤＶＤ側マイコンからＤＶＤ側のズームモード情報を取得し、取得したズームモード情報が共通化されたズームモードである場合にはそのズームモード情報を反映させてテレビ側のズーム設定を行う一方、取得したズームモード情報が共通化されていないＤＶＤ固有のモードである場合には、ＤＶＤ側に切り換える前に設定されていたズームモードに設定することを特徴とするＤＶＤ装置一体型テレビジョン受像機。
【請求項２】
ズーム機能を有するテレビ側のマイコンとズーム機能を有するＤＶＤ側のマイコンとが双方向通信可能に接続されたＤＶＤ・テレビシステムにおいて、
共通するズームモードについてはテレビ側のズームモードを優先的に使用してズーム機能を共通化することを特徴とするＤＶＤ・テレビシステム。
【請求項３】
テレビ側からＤＶＤ側への切り替え時、前記ＤＶＤ側マイコンはテレビ側マイコンからテレビ側のズームモード情報を取得し、取得したズームモード情報を反映させてＤＶＤ側のズーム設定を行うことを特徴とする請求項２に記載のＤＶＤ・テレビシステム。
【請求項４】
ＤＶＤ側からテレビ側への切り替え時、前記テレビ側マイコンは前記ＤＶＤ側マイコンからＤＶＤ側のズームモード情報を取得し、取得したズームモード情報が共通化されたズームモードである場合にはそのズームモード情報を反映させてテレビ側のズーム設定を行うとともに、取得したズームモード情報が共通化されていないＤＶＤ固有のモードである場合には、そのモードを無効としてズーム機能をオフすることを特徴とする請求項２記載のＤＶＤ・テレビシステム。
【発明の詳細な説明】
【技術分野】
【０００１】
本発明は、ズーム機能を有するテレビ側のマイコンとズーム機能を有するＤＶＤ側のマイコンとが双方向通信可能に接続されたＤＶＤ装置一体型テレビジョン受像機及びＤＶＤ・テレビシステムに係り、より詳細には、ズームモードの異なるテレビ側とＤＶＤ側とにおいて、ズーム機能の共通化を図ったＤＶＤ装置一体型テレビジョン受像機及びＤＶＤ・テレビシステムに関する。
【背景技術】
【０００２】
従来より、テレビジョン機能とパソコン機能とを合体させたインタラクティブＴＶ装置では、放映されている映像の一部をズームアップして表示する機能を備えているものがある（例えば、特許文献１参照）。
【０００３】
同様に、従来のＤＶＤ装置一体型のデジタルテレビジョン受像機においても、ＤＶＤ装置側及びテレビジョン受像機側の双方において個別にズーム機能を備えているものがある。
【０００４】
例えば、テレビジョン受像機側では、ズームモード（ズーム倍率）として、ズーム１（×１．３倍）を持ち、ＤＶＤ装置側では、ズームモード（ズーム倍率）としてズーム１（×１．３倍）、ズーム２（×２．０倍）、ズーム３（×４．０倍）を持っている。すなわち、テレビジョン受像機とＤＶＤ装置とでズーム機能が異なっている。
【０００５】
【特許文献１】特開平０８−３３６０９５号公報
【発明の開示】
【発明が解決しようとする課題】
【０００６】
この場合、従来のＤＶＤ装置一体型テレビジョン受像機では、テレビジョン受像機側で行ったズーム設定をＤＶＤ装置側に反映させることはしておらず、また、ＤＶＤ装置側で行ったズーム設定をテレビジョン受像機側に反映させることもしていない。
【０００７】
そのため、テレビジョン受像機の動作時にデジタルズームを行った場合に、その状態で動作をＤＶＤ装置側の再生動作に切り換えた場合、ＤＶＤ装置側でのＯＳＤや字幕などがモニタ画面からはみ出して表示されてしまうといった問題があった。また、この状態でＤＶＤ装置側でもズームを行った場合には、テレビジョン受像機側でのズームとＤＶＤ装置側でのズームの両方を行うことになり、必要以上にズームアップしてしまい解像度が低下するといった問題があった。
【０００８】
本発明はかかる問題点を解決すべく創案されたもので、その目的は、テレビジョン受像機とＤＶＤ装置とでズーム設定の共通化を図ることにより、操作性を向上するとともに上記問題点の発生も防止したＤＶＤ装置一体型テレビジョン受像機及びＤＶＤ・テレビシステムを提供することにある。
【課題を解決するための手段】
【０００９】
上記課題を解決するために、本発明のＤＶＤ装置一体型テレビジョン受像機は、ズーム機能を有するテレビ側のマイコンとズーム機能を有するＤＶＤ側のマイコンとが双方向通信可能に接続されたＤＶＤ装置一体型テレビジョン受像機において、共通するズームモードについてはテレビ側のズームモードを優先的に使用してズーム機能を共通化するとともに、ＤＶＤ側からテレビ側への切り替え時、前記テレビ側マイコンは前記ＤＶＤ側マイコンからＤＶＤ側のズームモード情報を取得し、取得したズームモード情報が共通化されたズームモードである場合にはそのズームモード情報を反映させてテレビ側のズーム設定を行う一方、取得したズームモード情報が共通化されていないＤＶＤ固有のモードである場合には、ＤＶＤ側に切り換える前に設定されていたズームモードに設定することを特徴としている。
【００１０】
このような特徴を有する本発明によれば、例えば、テレビ側のズームモード（ズーム倍率）としてズーム１（×１．３倍）を持ち、ＤＶＤ側のズームモード（ズーム倍率）としてズーム１（×１．３倍）、ズーム２（×２．０倍）、ズーム３（×４．０倍）を持つとすると、テレビ側のズーム設定が例えばズーム１であり、この状態で動作をＤＶＤ側に切り換えた場合、ＤＶＤによるＯＳＤ表示であっても、テレビ側マイコンがテレビ側のズーム機能を利用して、ズーム１のＯＳＤ表示を行う。この後、ＤＶＤ側でズーム２またはズーム３に設定された場合には、ＤＶＤ側マイコンがＤＶＤ側のズーム機能を利用してズーム２またはズーム３によるＯＳＤ表示を行う。一方、ＤＶＤ動作時のズーム設定が例えばズーム２であり、この状態で動作をテレビ側に切り換えた場合、テレビ側マイコンは、ＤＶＤ動作時のズームモードを無効として扱い、ＤＶＤ側に切り換える前に設定されていたズーム（例えばズーム１等）に設定する。すなわち、本発明によれば、ズーム１ではテレビ側のズーム機能を利用してＤＶＤ再生時のズームも行うことにより、ズーム１についてはズーム機能を共通化している。これにより、ズーム機能の操作性を向上することができる。
【００１１】
また、本発明のＤＶＤ・テレビシステムは、ズーム機能を有するテレビ側のマイコンとズーム機能を有するＤＶＤ側のマイコンとが双方向通信可能に接続されたＤＶＤ・テレビシステムにおいて、共通するズームモードについてはテレビ側のズームモードを優先的に使用してズーム機能を共通化することを特徴としている。
【００１２】
具体的には、テレビ側からＤＶＤ側への切り替え時、前記ＤＶＤ側マイコンはテレビ側マイコンからテレビ側のズームモード情報を取得し、取得したズームモード情報を反映させてＤＶＤ側のズーム設定を行う。すなわち、テレビ側でズーム１に設定されていた場合には、ＤＶＤ側においてもズーム１に設定する。
【００１３】
また、ＤＶＤ側からテレビ側への切り替え時、前記テレビ側マイコンは前記ＤＶＤ側マイコンからＤＶＤ側のズームモード情報を取得し、取得したズームモード情報が共通化されたズームモードである場合にはそのズームモード情報を反映させてテレビ側のズーム設定を行うとともに、取得したズームモード情報が共通化されていないＤＶＤ固有のモードである場合には、そのモードを無効としてズーム機能をオフする。例えば、ＤＶＤ動作時のズーム設定がズーム２であり、この状態で動作をテレビ側に切り換えた場合、テレビ側マイコンは、ＤＶＤ動作時のズームモードを無効として扱い、ズーム機能をオフする。すなわち、本発明によれば、ズーム１ではテレビ側のズーム機能を利用してＤＶＤ再生時のズームも行うことにより、ズーム１についてはズーム機能を共通化している。これにより、ズーム機能の操作性を向上することができる。
【発明の効果】
【００１４】
本発明のＤＶＤ装置一体型テレビジョン受像機及びＤＶＤ・テレビシステムによれば、テレビジョン受像機とＤＶＤ装置とでズーム設定の共通化を行うことにより、ズーム機能の操作性を向上することができる。具体的には、テレビジョン受像機の動作時にデジタルズームを行った場合に、その状態で動作をＤＶＤ装置側の再生動作に切り換えた場合、ＤＶＤ装置側でのＯＳＤや字幕などがモニタ画面からはみ出して表示されてしまうといった不具合を防止することができるとともに、テレビジョン受像機の動作時にデジタルズームを行った状態でＤＶＤ装置側でもズームを行った場合に、テレビジョン受像機側でのズームとＤＶＤ装置側でのズームの両方を行うことになって必要以上にズームアップしてしまい解像度が低下するといった不具合も防止することができる。
【発明を実施するための最良の形態】
【００１５】
以下、本発明の実施の形態について、図面を参照して説明する。
図１は、本発明のＤＶＤ・テレビシステムのシステム構成図であり、本実施形態ではＤＶＤ装置一体型テレビジョン受像機を例に挙げて説明する。
【００１６】
本実施形態のＤＶＤ装置一体型テレビジョン受像機では、テレビ側マイコン１１とＤＶＤ側マイコン２１とがバス通信３１によって双方向通信可能に接続されている。ＤＶＤ再生部２２はＤＶＤ側マイコン２１によって制御されており、チューナ回路、復調回路等を含むテレビ回路部１２及びＯＳＤ回路１３はテレビ側マイコン１１によって制御されている。
【００１７】
ＤＶＤ再生部２２は、ＤＶＤ側マイコン２１からの指示に従ってＤＶＤを再生するブロックとなっており、再生した画像信号と音声信号とをテレビ回路部１２に送出する。また、本発明に係わるズーム機能を備えている。
【００１８】
テレビ回路部１２は、商用放送を受信してＣＲＴ１４に表示するブロックとなっており、本発明に係わるズーム機能を備えている。また、ＤＶＤ再生部２２から画像信号や音声信号が送出されるときには、送出された画像信号をＯＳＤ回路１３を介してＣＲＴ１４に表示する。
【００１９】
テレビ側マイコン１１とＤＶＤ側マイコン２１とは、バス通信３１によって互いのズーム情報を提供するように構成されており、相互に連携してズーム制御を行うようになっている。
【００２０】
ここで、本実施形態では、テレビ側のズームモード（ズーム倍率）としてズーム１（×１．３倍）を持ち、ＤＶＤ側のズームモード（ズーム倍率）としてズーム１（×１．３倍）、ズーム２（×２．０倍）、ズーム３（×４．０倍）を持つものとする。
【００２１】
この場合、テレビ側のズーム１とＤＶＤ側のズーム１とは共通とする。ただし、ズーム１でのＯＳＤ表示はテレビ側とＤＶＤ側とで統一しておく必要がある。すなわち、テレビ側でズームしたときと、ＤＶＤ側でズームしたときとでＯＳＤの表示サイズが異なると、同じ倍率のズームであるにも係わらず見え方が異なることになるため、ズーム１での表示サイズを統一しておく。
【００２２】
次に、上記構成のＤＶＤ装置一体型テレビジョン受像機におけるズーム機能の動作について、（１）テレビからＤＶＤへの切り替え時、（２）ＤＶＤ再生時のズーム切り替え、（３）ＤＶＤからテレビへの切り替え時、に場合分けして説明する。
【００２３】
（１）テレビからＤＶＤへの切り替え時のズーム動作について、図２を参照して説明する。
【００２４】
外部の図示しないリモコン等からテレビ側マイコン１１に対してＤＶＤへの切替要求があると、テレビ側マイコン１１は、ＤＶＤ側マイコン２１に起動信号を送信してＤＶＤを起動する。また、テレビ側マイコン１１は、ＤＶＤ側へ切り替える前のテレビ側のズーム情報をＤＶＤ側マイコン２１に送信する。ＤＶＤ側マイコン２１は、受け取ったズーム情報をＤＶＤ再生時のズーム情報として反映させる。すなわち、テレビ側でズームオフであった場合には、ＤＶＤ側でもズームオフとして再生動作を行う。また、テレビ側でズーム１であった場合には、ＤＶＤ側でもズーム１として再生動作を行う。
【００２５】
（２）ＤＶＤ再生時のズーム切り替えについて、図３を参照して説明する。
【００２６】
ＤＶＤ側マイコン２１は、起動中、ＤＶＤ側のズーム情報を常にテレビ側マイコン１１に送出し、テレビ側マイコン１１は、常にＤＶＤ側のズーム状態を監視する。この状態において、外部の図示しないリモコン等からテレビ側マイコン１１に対してズーム変更要求があると、テレビ側マイコン１１は、そのズーム変更要求によるズーム設定変更が可能かどうかを確認し、可能である場合には、テレビ側マイコン１１からＤＶＤ側マイコン２１にズーム変更要求をパススルーする。
【００２７】
ここで、「ズーム設定変更が可能かどうかを確認し」とは、基本的にズーム機能はＤＶＤの再生時にのみ可能で、メニュー画面などのＯＳＤ表示の場合には無効としているため、このＤＶＤ側の状態を確認することを意味している。
【００２８】
そして、ズームが変更された場合に、変更後のズームがズームオフまたはズーム１であった場合には、テレビ側マイコン１１でそのズームに従ったＯＳＤ表示を行う。すなわち、ズームオフ及びズーム１の場合には、ＤＶＤ側ではＯＳＤ表示を行わない。一方、変更後のズームがズーム２またはズーム３であった場合には、ＤＶＤ側でそのズームに従ったＯＳＤ表示を行い、テレビ側ではＯＳＤ表示を行わない。
【００２９】
このように、本発明によれば、ズームオフ及びズーム１ではテレビ側のズーム機能を利用してＤＶＤ再生時のズームも行うことにより、ズーム１についてはズーム機能を共通化している。これにより、ズーム機能の操作性を向上することができる。
【００３０】
（３）ＤＶＤからテレビへの切り替え時のズーム動作について、図４を参照して説明する。
【００３１】
外部の図示しないリモコン等からテレビ側マイコン１１に対してＤＶＤからテレビへの切替要求があると、テレビ側マイコン１１は、ＤＶＤ側マイコン２１に起動停止信号を送信してＤＶＤを停止する。このとき、テレビ側マイコン１１は、ＤＶＤ側のズーム状態を常に監視しているので、停止前のＤＶＤのズーム情報を反映させる。
【００３２】
すなわち、停止前のＤＶＤ側のズーム情報がズームオフまたはズーム１であった場合には、そのまま反映して、テレビのズームモードをズームオフまたはズーム１に設定する。
【００３３】
一方、停止前のＤＶＤのズーム情報がズーム２またはズーム３であった場合には、テレビ側マイコン１１は、ＤＶＤ動作時のズームモードを無効として扱い、ズームオフとする。また、停止前のＤＶＤのズーム情報がズーム２またはズーム３であった場合には、テレビ側マイコン１１は、ＤＶＤ動作時のズームモードを無効として扱い、ＤＶＤ側に切り換える前に設定されていたズーム（例えばズーム１等）に設定するようにしてもよい。
【００３４】
なお、上記実施形態では、本発明をＤＶＤ装置一体型テレビジョン受像機に適用しているが、ＤＶＤ装置とテレビジョン受像機とは別体であってもよい。この場合、図１に示すバス通信３１の代わりにテレビ側マイコン１１とＤＶＤ側マイコン２１とを例えばＩＥＥＥ１３９４のシリアル・インターフェース規格に従った双方向通信可能な通信線で接続することにより、ＤＶＤ装置のＤＶＤ側マイコン２１とテレビジョン受像機のテレビ側マイコン１１との間で双方向通信可能なＤＶＤ・テレビシステムとして本発明を構築することができる。
【図面の簡単な説明】
【００３５】
【図１】本発明に係わるＤＶＤ装置一体型テレビジョン受像機の電気的構成を示すブロック線図である。
【図２】テレビからＤＶＤへの切り替え時のズーム動作を説明するための図である。
【図３】ＤＶＤ再生時のズーム切り替え動作を説明するための図である。
【図４】ＤＶＤからテレビへの切り替え時のズーム動作を説明するための図である。
【符号の説明】
【００３６】
１１  テレビ側マイコン
１２  テレビ回路部
１３  ＯＳＤ回路
１４  ＣＲＴ
２１  ＤＶＤ側マイコン
２２  ＤＶＤ再生部
【図１】
2005065107.tif 000003
【図２】
2005065107.tif 000004
【図３】
2005065107.tif 000005
【図４】
2005065107.tif 000006